(57)【要約】  基地局装置（２）は、移動局装置（３）のデータ通信で伝送されるパケットのパケット長の検出結果を得る検出部（４１、５６、６５、２５）と、検出結果に応じてデータ通信に対するサービス品質要求を制御するサービス品質要求制御部（４２、５８、６７、２５）を備える。
2014207930.tif 000002
【特許請求の範囲】
【請求項１】
移動局装置のデータ通信で伝送されるパケットのパケット長の検出結果を得る検出部と、
前記検出結果に応じて前記データ通信に対するサービス品質要求を制御するサービス品質要求制御部と、
を備えることを特徴とする基地局装置。
【請求項２】
前記サービス品質要求制御部は、前記データ通信に対するサービス品質要求を示すサービスクラス又は該サービスクラスの属性を制御することを特徴とする請求項１に記載の基地局装置。
【請求項３】
前記サービスクラスの属性は、前記データ通信の所要通信速度又は許容伝送遅延であることを特徴とする請求項２に記載の基地局装置。
【請求項４】
前記サービス品質要求制御部は、前記データ通信に対するサービス品質要求を指定するサービス品質制御装置に前記サービス品質要求の変更を要求する変更要求部と、
前記サービス品質制御装置が変更したサービス品質要求を指定する変更通知を受信する通知受信部と、
前記変更通知で指定されたサービス品質要求に従って前記移動局装置と前記基地局装置との間のデータ通信を制御する通信制御部と、
を備えることを特徴とする請求項１〜３のいずれか一項に記載の基地局装置。
【請求項５】
前記基地局装置は第１ネットワークに接続され、
前記第１ネットワークは前記基地局装置と第２ネットワークとの間で前記データ通信のパケットを伝送し、
前記サービス品質制御装置は、前記変更要求部による要求に応答して、前記第１ネットワークにおける前記データ通信に対するサービス品質要求を変更することを特徴とする請求項４に記載の基地局装置。
【請求項６】
前記検出部は、前記移動局装置で検出された前記検出結果を前記移動局装置から受信することを特徴とする請求項１〜５のいずれか一項に記載の基地局装置。
【請求項７】
前記検出部は、前記移動局装置のデータ通信で伝送されるパケットのパケットのパケット長が予め決められたパケット長以下となる頻度を検出し、
前記サービス品質要求制御部は、前記頻度に応じて前記データ通信に対するサービス品質要求を制御することを特徴とする請求項１〜５のいずれか一項に記載の移動局装置。
【請求項８】
移動局装置であって、
前記移動局装置のデータ通信で伝送されるパケットのパケット長を検出する検出部と、
前記検出部の検出結果に応じて前記データ通信に対するサービス品質要求を制御するサービス品質要求制御部と、
を備えることを特徴とする移動局装置。
【請求項９】
前記サービス品質要求制御部は、前記データ通信に対するサービス品質要求を示すサービスクラス又は該サービスクラスの属性を制御することを特徴とする請求項８に記載の移動局装置。
【請求項１０】
前記サービスクラスの属性は、前記データ通信の所要通信速度又は許容伝送遅延であることを特徴とする請求項９に記載の移動局装置。
【請求項１１】
前記サービス品質要求制御部は、前記データ通信に対するサービス品質要求を指定するサービス品質制御装置に前記サービス品質要求の変更を基地局装置に要求させる制御信号を送信する制御信号送信部を備えることを特徴とする請求項８〜１０のいずれか一項に記載の移動局装置。
【請求項１２】
前記基地局装置は第１ネットワークに接続され、
前記第１ネットワークは前記基地局装置と第２ネットワークとの間で前記データ通信のパケットを伝送し、
前記サービス品質制御装置は、前記基地局装置による要求に応答して、前記第１ネットワークにおける前記データ通信に対するサービス品質要求を変更することを特徴とする請求項１１に記載の移動局装置。
【請求項１３】
前記サービス品質要求制御部は、前記サービス品質制御装置が変更したサービス品質要求を指定する変更通知を前記基地局装置から受信する通知受信部と、
前記変更通知で指定されたサービス品質要求に従って前記移動局装置と前記基地局装置との間のデータ通信を制御する通信制御部と、
を備えることを特徴とする請求項１１又は１２に記載の移動局装置。
【請求項１４】
前記検出部は、前記移動局装置のデータ通信で伝送されるパケットのパケットのパケット長が予め決められたパケット長以下となる頻度を検出し、
前記サービス品質要求制御部は、前記頻度に応じて前記データ通信に対するサービス品質要求を制御することを特徴とする請求項８〜１３のいずれか一項に記載の移動局装置。
【請求項１５】
移動局装置のデータ通信で伝送されるパケットのパケット長の検出結果を得る検出部と、
前記検出結果に応じて前記データ通信に対するサービス品質要求を制御するサービス品質要求制御部と、
を備えることを特徴とする通信システム。
【請求項１６】
移動局装置でデータ通信処理を実行するアプリケーションプログラムが、閾値以下のパケット長を持つパケットを発生するか否かを判定する判定部と、
前記判定部の判定結果に応じて異なるサービス品質要求を、前記アプリケーションプログラムによるデータ通信に対するサービス品質要求として指定するサービス品質要求指定部と、
を備えることを特徴とするサービス品質制御装置。
【請求項１７】
移動局装置のデータ通信で伝送されるパケットのパケット長を検出する第１工程と、
前記第１工程の前記検出結果に応じて前記データ通信に対するサービス品質要求を制御する第２工程と、
を含むことを特徴とする通信方法。
【請求項１８】
移動局装置でデータ通信処理を実行するアプリケーションプログラムが、閾値以下のパケット長を持つパケットを発生するか否かを判定する第１工程と、
前記第１工程の判定結果に応じて異なるサービス品質要求を、前記アプリケーションプログラムによるデータ通信に対するサービス品質要求として指定する第２工程と、
を含むことを特徴とする通信方法。
【発明の詳細な説明】
【技術分野】
【０００１】
本明細書で論じられる実施態様は、基地局装置、移動局装置、サービス品質制御装置及び通信方法に関する。
【背景技術】
【０００２】
移動体通信システムでは、移動局装置と外部ネットワークとの間が無線アクセスネットワークと有線ネットワークによって接続される。無線アクセスネットワークの一例は、３ＧＰＰ（3rd Generation Partnership Project）が規格するＬＴＥ（Long Term Evolution）のＥ−ＵＴＲＡＮ（Evolved Universal Terrestrial Radio Access Network）である。Ｅ−ＵＴＲＡＮと外部ネットワークとの間は、ＥＰＣ（Evolved Packet Core）と呼ばれるネットワークで接続される。【０００３】
関連技術として、データパケットフローワイヤレス通信のセミパーシステントスケジューリングの学習ベースの決定のためのシステムおよび方法が知られている。ワイヤレス端末にサービスされるパケット化データフローが、スケジューリングされたパケットサイズ（Ｓｓ）とパケット間時間（Ｔｓ）とに関連する統計を収集するために、最初の時間期間に完全にスケジューリングされる。｛Ｓ，Ｔ｝ペアの累積分布の分析は、特性パケットサイズ（Ｓ０）およびサイズ分散（Ｄ０）が累積分布に関連するかどうかを示す。特性サイズおよび分散に関連する時間間隔は、トランスポートフォーマットを完成させる。特性トランスポートフォーマットが蓄積された統計から抽出すなわち学習されることができる場合には、セミパーシステントスケジューリングがパケット化フローに利用される。抽出されたトランスポートフォーマットは、ハンドオーバ時にスケジューリング効率を最適化するために使用されることができる（例えば、特許文献１参照）。
【先行技術文献】
【特許文献】
【０００４】
【特許文献１】特表２０１０−５２７２０８号公報
【発明の概要】
【発明が解決しようとする課題】
【０００５】
近年の移動局装置のトラヒックの増大により、移動局装置の通信データを伝送するネットワークで発生する輻輳の軽減が課題となっている。例えば、ネットワークの輻輳は、基地局装置やＩＰサービスネットワークを構成する装置におけるパケットの送受信などの処理が増加することによって生じるものであり、移動局装置が送受信する制御信号などによって生じることがある。例えば、移動局装置で動作するオペレーティングシステム（ＯＳ）やアプリケーション及び無線通信を実施するための無線制御信号は、比較的短いパケット長の制御信号を送信する。このような制御信号が頻繁に伝送されることによってネットワークの輻輳が発生することがある。更に、輻輳により所要伝送速度を満たせなくなったり、伝送速度の低下が生じたりすることがある。【０００６】
本明細書に開示される装置又は方法は、移動局装置の通信データを伝送するネットワークで発生する輻輳を軽減すること、輻輳の軽減により伝送速度を改善すること、所要伝送速度を満たすようにすること、及び基地局装置やＩＰサービスネットワークを構成する装置における処理を低減すること、これらの少なくとも一つを目的とする。
【課題を解決するための手段】
【０００７】
装置の一観点によれば、基地局装置が与えられる。基地局装置は、移動局装置のデータ通信で伝送されるパケットのパケット長の検出結果を得る検出部と、この検出結果に応じてデータ通信に対するサービス品質要求を制御するサービス品質要求制御部を備える。【０００８】
他の装置の一観点によれば、移動局装置が与えられる。移動局装置は、移動局装置のデータ通信で伝送されるパケットのパケット長を検出する検出部と、検出部の検出結果に応じてデータ通信に対するサービス品質要求を制御するサービス品質要求制御部を備える。【０００９】
他の装置の一観点によれば、サービス品質制御装置が与えられる。サービス品質制御装置は、移動局装置でデータ通信処理を実行するアプリケーションプログラムが、閾値以下のパケット長を持つパケットを発生するか否かを判定する判定部と、判定部の判定結果に応じて異なるサービス品質要求を、アプリケーションプログラムによるデータ通信に対するサービス品質要求として指定するサービス品質要求指定部を備える。
【発明の効果】
【００１０】
本明細書に開示される装置又は方法によれば、移動局装置の通信データを伝送するネットワークで発生する輻輳が軽減する。また、輻輳の軽減により伝送速度が改善される。更には、所要伝送速度が満たされる。また、基地局装置及びネットワークを構成する装置の処理負荷が軽減する。【００１１】
本発明の目的及び利点は、特許請求の範囲に示した要素及びその組合せを用いて具現化され達成される。前述の一般的な記述及び以下の詳細な記述の両方は、単なる例示及び説明であり、特許請求の範囲のように本発明を限定するものでないと解するべきである。
【図面の簡単な説明】
【００１２】
【図１】通信システムの構成例の説明図である。
【図２】ポリシ制御装置の機能構成の第１例の説明図である。
【図３】ポリシ指定部により指定されるサービスクラスの一例の説明図である。
【図４】基地局装置の機能構成の第１例の説明図である。
【図５】基地局装置のＰＤＣＰ（Packet Data Control Protocol）処理部の機能構成の第１例の説明図である。
【図６】基地局装置のＲＬＣ（Radio Link Control）処理部の機能構成の第１例の説明図である。
【図７】基地局装置のＭＡＣ（Medium Access Control）処理部の機能構成の第１例の説明図である。
【図８】移動局装置の機能構成の第１例の説明図である。
【図９】移動局装置のＭＡＣ処理部の機能構成の第１例の説明図である。
【図１０】移動局装置のＲＬＣ処理部の機能構成の第１例の説明図である。
【図１１】移動局装置のＰＤＣＰ処理部の機能構成の第１例の説明図である。
【図１２】通信システムの動作の第１例の説明のためのシーケンス図である。
【図１３】基地局装置の機能構成の第２例の説明図である。
【図１４】基地局装置のＰＤＣＰ処理部の機能構成の第２例の説明図である。
【図１５】小パケットの検出動作の第１例の説明図である。
【図１６】小パケットの検出動作の第２例の説明図である。
【図１７】基地局装置のＲＬＣ処理部の機能構成の第２例の説明図である。
【図１８】基地局装置のＭＡＣ処理部の機能構成の第２例の説明図である。
【図１９】ポリシ制御装置の機能構成の第２例の説明図である。
【図２０】通信システムの動作の第２例の説明のためのシーケンス図である。
【図２１】移動局装置の機能構成の第２例の説明図である。
【図２２】移動局装置のＭＡＣ処理部の機能構成の第２例の説明図である。
【図２３】移動局装置のＲＬＣ処理部の機能構成の第２例の説明図である。
【図２４】移動局装置のＰＤＣＰ処理部の機能構成の第２例の説明図である。
【図２５】通信システムの動作の第３例の説明のためのシーケンス図である。
【図２６】移動局装置のＭＡＣ処理部の機能構成の第３例の説明図である。
【図２７】移動局装置のＲＬＣ処理部の機能構成の第３例の説明図である。
【図２８】移動局装置のＰＤＣＰ処理部の機能構成の第３例の説明図である。
【図２９】通信システムの動作の第４例の説明のためのシーケンス図である。
【図３０】基地局装置の一例のハードウエア構成図である。
【図３１】移動局装置の一例のハードウエア構成図である。
【図３２】ポリシ制御装置の一例のハードウエア構成図である。
【発明を実施するための形態】
【００１３】
＜１．第１実施例＞
以下、添付される図面を参照して、好ましい実施例について説明する。図１は、通信システムの構成例の説明図である。通信システム１は、基地局装置２と、移動局装置３と、第１ネットワーク４と、第１ゲートウエイ装置５と、第２ゲートウエイ装置６と、ポリシ制御装置７と、セッション制御装置８を備える。以下の説明及び添付図面において、ゲートウエイ装置を「ＧＷ」と表記することがある。基地局装置及び移動局装置をそれぞれ「基地局」及び「移動局」と表記することがある。
【００１４】
基地局２は、移動局３との間で無線通信が可能な無線通信圏（例えばセルやセクタ）を形成し、無線通信圏内の移動局３との間で所定の無線通信規格に従って通信する。基地局２は、無線アクセスネットワークの構成要素である。無線通信規格の例は、３ＧＰＰが規格する３Ｇ（3rd Generation）無線通信規格やＬＴＥ等であってよい。
【００１５】
第１ＧＷ５は、無線アクセスネットワークを第１ネットワーク４に接続し、第２ＧＷ６は、第１ネットワーク４と第２ネットワーク９とを接続する。第１ＧＷ５及び第２ＧＷ６は、第２ネットワーク９と移動局３の間で伝送されるユーザデータを、第１ネットワーク４を経由して伝送する。
【００１６】
第１ネットワーク４は、例えば、移動通信サービスを提供する通信事業者のプライベートネットワークであってよい。第２ネットワーク９は、例えばインターネットや企業のイントラネット等のＩＰ（Internet Protocol）サービスネットワークであってよい。
【００１７】
無線アクセスネットワーク及び第１ネットワーク４は、移動局３を第２ネットワーク９に接続するＩＰ−ＣＡＮ（IP Connectivity Access Network）を形成する。移動局３を第２ネットワーク９に接続するために、移動局３と第２ＧＷ６との間でユーザＩＰパケットを転送する論理チャネルであるベアラが形成される。ベアラは、例えば３Ｇ無線通信規格で定められたＵＭＴＳ（Universal Mobile Telecommunications System）ベアラや、ＬＴＥで定められたＥＰＳ（Evolved Packet System）ベアラである。
【００１８】
以下の説明では、通信システム１がＬＴＥに準拠するシステムである場合の例示を使用する。但し、この例示は、本明細書に記載される通信システムが、ＬＴＥに準拠する通信システムのみに限定して適用されることを意図するものではない。本明細書記載の通信システムは、移動局のユーザＩＰパケットを運ぶベアラに適用されるサービス品質を、予め定義されたポリシに従って制御するシステムに広く適用可能である。
【００１９】
ポリシ制御装置７は、移動局３のベアラに関するサービス情報をセッション制御装置８から取得する。サービス情報は、移動局３のベアラを使用してユーザＩＰパケットを送受信するアプリケーションプログラムの識別情報を含む。以下の説明において、移動局３のベアラを使用してユーザＩＰパケットを送受信するアプリケーションプログラムを単に「移動局３のアプリケーションプログラム」と表記する。
【００２０】
ポリシ制御装置７は、移動局３のアプリケーションプログラムに応じて移動局３のベアラに適用されるサービスクラスを決定する。ポリシ制御装置７は、決定したサービスクラスを第１ＧＷ５及び第２ＧＷ６へ通知する。第１ＧＷ５はポリシ実行装置として動作し、ポリシ制御装置７から通知されたサービスクラスに従って移動局３のベアラの伝送速度及び伝送遅延を制御する。
【００２１】
第２ＧＷ６は、ポリシ実行装置として動作し、ポリシ制御装置７から通知されたサービスクラスに従って移動局３のベアラの伝送速度及び伝送遅延を制御する。第２ＧＷ６は、サービスクラスを基地局２へ通知する。
【００２２】
ポリシ制御装置７は、例えば３ＧＰＰが規格するＰＣＲＦ（Policy and Charging Rules Function）であってよい。セッション制御装置８は、例えばＡＦ（Application Function）であってよい。第１ＧＷ５は、例えばＢＢＥＲＦ（Bearer Binding and Event Reporting Function）として動作してよい。第２ＧＷ６は、ＰＣＥＦ（Policy and Charging Enforcement Function）として動作してよい。ポリシ制御装置７から通知されるサービスクラスは、例えばＱＣＩ（QoS Class Identifier）、ＱｏＳ（Quality of Service）及びＱｏＳクラスであってよい。
【００２３】
基地局２は、第２ＧＷ６から通知されたサービスクラスに従って、移動局３と基地局２間のユーザデータの伝送速度及び伝送遅延を制御する。例えば、基地局２は、移動局３と基地局２間のユーザデータの伝送に使用する無線リソース及びＭＣＳ（Modulation and Coding Scheme）を選択するスケジューリング処理を実行する。基地局２は、第２ＧＷ６から通知されたサービスクラスにより指定されるサービス品質の要求を満足するように、移動局３のベアラに使用される無線リソース及びＭＣＳを選択する。サービス品質の要求は、例えば伝送遅延、伝送遅延の条件、最大伝送速度（Maximum Bit Rate）及び保証伝送速度（Guaranteed Bit Rate）であってよい。基地局２は、第２ＧＷ６から通知されたサービスクラスを移動局３へ通知する。
【００２４】
移動局３は、基地局２から通知されたサービスクラスに従って、移動局３から基地局２への上りリンクのユーザデータの伝送速度及び伝送遅延を制御する。例えば、移動局３は、サービスクラスにより指定されたサービス品質の要求を満足することと、移動局３が持つ上りリンクのユーザデータ量を通知することで上り送信を要求してもよい。更には、送信に使用する無線リソース及びＭＣＳを基地局２に要求してもよい。例えば、移動局３は、サービスクラスにより指定された伝送遅延及び伝送遅延の条件を満足するように基地局２から割り当てられた上りリンクの無線リソースの中からベアラに割り当てるリソースを決定してもよい。
【００２５】
図２は、ポリシ制御装置７の機能構成の第１例の説明図である。ポリシ制御装置７は、通信部１４と、判定部１５と、ポリシ指定部１６と、ポリシ通知部１７を備える。
【００２６】
通信部１４は、移動局３のベアラに関するサービス情報をセッション制御装置８から受信する。判定部１５は、サービス情報に含まれるアプリケーションプログラムの識別情報に基づき、移動局３のアプリケーションプログラムが、所定閾値よりも短いパケット長を持つパケットを発生させるか否かを判定する。以下の説明及び添付図面において、所定閾値よりも短いパケット長を持つパケットを「小パケット」と表記する。
【００２７】
判定部１５は、例えば予めアプリケーションプログラムの分類、属性又は名称に応じて、アプリケーションプログラムが小パケットを発生させるか否かを判定してよい。ポリシ制御装置７は、小パケットを発生させるアプリケーションプログラムの分類、属性又は名称の情報が格納される記憶部１８を備えていてもよい。判定部１５は、記憶部１８に格納された分類、属性又は名称の情報に従って、移動局３のアプリケーションプログラムが小パケットを発生させるか否かを判定してよい。
【００２８】
後述の第２実施例又は第３実施例と同様に、基地局２及び移動局３が小パケットの発生を検出してもよい。ポリシ制御装置７は、小パケットを発生させるアプリケーションプログラムの分類、属性又は名称を識別するための情報を基地局２及び移動局３から受信してもよい。ポリシ制御装置７は、基地局２及び移動局３から受信した情報に基づいて識別されるアプリケーションプログラムの分類、属性又は名称の情報を記憶部１８に格納してもよい。
【００２９】
ポリシ指定部１６は、セッション制御装置８から受信されたサービス情報に基づいて、移動局３のベアラに適用されるサービスクラスを指定する。移動局３のアプリケーションプログラムが小パケットを発生させるアプリケーションプログラムである場合、ポリシ指定部１６は、移動局３のベアラに適用されるサービスクラスとして、小パケット伝送用サービスクラスを指定する。移動局３のアプリケーションプログラムが小パケットを発生させるアプリケーションプログラムでない場合、ポリシ指定部１６は、移動局３のベアラに適用されるサービスクラスとして、小パケット伝送用サービスクラス以外のクラスを指定する。
【００３０】
図３は、ポリシ指定部１６により指定されるサービスクラスの一例の説明図である。ＱＣＩ＝１〜９のサービスクラスは、３ＧＰＰ  ＴＳ２３．２０３  Ｖ１０．８．０に規定されるサービスクラスと同様である。ＱＣＩ＝１０のサービスクラスは、小パケット伝送用サービスクラスである。
【００３１】
小パケット伝送用サービスクラスのデータ伝送の形式（Resource Type）は、帯域保証型または伝送速度保証型（GBR: Guaranteed Bite Rate）でない非帯域保証型または非伝送速度保証型（Non-GBR）である。小パケット伝送用サービスクラスの優先度（Priority）は「１０」であり、他のサービスクラスよりも低い。小パケット伝送用サービスクラスの許容伝送遅延（Packet Delay Budget）及び許容誤り率（Packet Error Loss Rate）は、それぞれ「３００ｍｓｅｃ」及び「１０-3」である。
【００３２】
小パケット伝送用サービスクラスのサービス品質要求は、小パケットの伝送に起因する輻輳が生じないように他のサービスクラスに比べて緩和されていてもよい。例えば、図３の例の小パケット伝送用サービスクラスの優先度は他のクラスの優先度よりも低い。例えば、小パケット伝送用サービスクラスのサービス品質要求の所要伝送速度、許容伝送遅延、伝送品質及び許容誤り率のいずれかに関する要求が、他のサービスクラスの要求よりも緩和されていてもよい。
【００３３】
図２を参照する。ポリシ通知部１７は、ポリシ指定部１６により指定されたサービスクラスを、第１ＧＷ５及び第２ＧＷ６へ通知する。
【００３４】
図４は、基地局２の機能構成の第１例の説明図である。基地局２は、送信部２０と、受信部２１と、ＭＡＣ処理部２２と、ＲＬＣ処理部２３と、ＰＤＣＰ処理部２４を備える。基地局２は、回線制御部２５と、回線制御信号作成部２６を備える。
【００３５】
図４において、実線の結線はデータの流れを示し、点線の結線は制御信号の流れを示す。図５〜１１、図１３、図１４、図１７、図１８、図２１〜２４及び図２６〜図２８においても同様である。
【００３６】
送信部２０は、移動局３へ送信される下りリンク信号を符号化及び変調し、変調された信号をチャネルにマッピングする。送信部２０は、各チャネルの信号をアナログ信号に変換し、変換されたアナログ信号を無線周波数信号に変換する。送信部２０は、無線周波数信号を増幅し、増幅された信号をアンテナを介して移動局３へ送信する。
【００３７】
受信部２１は、移動局３から送信される上りリンク信号をアンテナを介して受信する。受信部２１は、受信された信号を増幅し、増幅後の受信信号をアナログベースバンド信号に変換する。受信部２１は、アナログベースバンド信号をデジタルベースバンド信号に変換する処理と、復調処理及び復号処理を行う。
【００３８】
ＭＡＣ処理部２２は、移動局３へ送信される下りリンク信号及び移動局３から受信される上りリンク信号のＭＡＣレイヤの処理を行う。また、ＲＬＣ処理部２３は、移動局３へ送信される下りリンク信号及び移動局３から受信される上りリンク信号のＲＬＣレイヤの処理を行う。ＰＤＣＰ処理部２４は、移動局３へ送信される下りリンク信号及び移動局３から受信される上りリンク信号のＰＤＣＰレイヤの処理を行う。
【００３９】
回線制御部２５は、移動局３と基地局２間のユーザデータの伝送に使用する無線リソース及びＭＣＳを選択するスケジューリング処理を実行する。回線制御部２５は、第２ＧＷ６から通知されたサービスクラスを受信する。回線制御部２５は、第２ＧＷ６から通知されたサービスクラスに従って、移動局３と基地局２との間のユーザデータの伝送速度及び伝送遅延を制御する。例えば、回線制御部２５は、第２ＧＷ６から通知されたサービスクラスに従って、サービスクラスにより指定される伝送遅延及び伝送遅延の条件を満足するように、移動局３のベアラに使用される無線リソース及びＭＣＳを選択する。
【００４０】
回線制御信号作成部２６は、回線制御部２５により選択された無線リソース及びＭＣＳを指定する回線制御信号を作成し、回線制御信号を送信部２０へ出力する。送信部２０は回線制御信号を移動局３へ送信する。また、回線制御信号作成部２６は、第２ＧＷ６から通知されたサービスクラスを示すサービスクラス指定信号を作成し、サービスクラス指定信号を送信部２０へ出力する。送信部２０はサービスクラス指定信号を移動局３へ送信する。
【００４１】
回線制御部２５は、上りリンクユーザデータの送信に使用する無線リソースの要求信号（例えばスケジューリング要求やランダムアクセスプリアンブルなど）を移動局３及び基地局２から受信してもよい。無線リソースの要求信号は、例えば第２ＧＷ６から通知されたサービスクラスを指定するための情報を含んでいてよい。回線制御部２５は、無線リソースの要求により指定されるサービスクラスのサービス品質の要求を満足するように、上りリンクのユーザデータの送信に使用する無線リソース及びＭＣＳを選択してよい。
【００４２】
後述の第２実施例と同様に、基地局２にて小パケットの発生が検出されてもよい。小パケットの発生が検出された場合に回線制御部２５は、小パケットを発生させるアプリケーションプログラムの分類、属性又は名称を識別するための情報をポリシ制御装置７へ送信してよい。
【００４３】
回線制御部２５は、選択無線リソース及びＭＣＳに従って、送信部２０及び受信部２１が送信及び受信するユーザデータの伝送に使用する無線リソース及びＭＣＳを制御する。
【００４４】
図５は、ＰＤＣＰ処理部２４の機能構成の第１例の説明図である。ＰＤＣＰ処理部２４は、ＰＤＣＰ制御部３０と、圧縮部３１と、暗号化部３２と、分割／連結部３３と、ヘッダ付加部３４を備える。ＰＤＣＰ処理部２４は、ヘッダ除去部３５と、リアセンブル部３６と、解読部３７と、伸長部３８と、リオーダリング部３９を備える。
【００４５】
ＰＤＣＰ制御部３０は、ＰＤＣＰ処理部２４によるＰＤＣＰレイヤの処理を制御する。圧縮部３１は、第１ＧＷ５から受信された下りリンクデータのパケットのヘッダ部分を圧縮する。暗号化部３２は、下りリンクデータのパケットを暗号化する。分割／連結部３３は、パケットを分割又は連結することにより所定長Ｌ０のパケットを生成する。ヘッダ付加部３４は、分割／連結部３３が生成したパケットに制御信号やシーケンス番号を含むヘッダを付加しＰＤＣＰ  ＰＤＵ（Packet Data unit）を生成する。ヘッダ付加部３４は、ＰＤＣＰ  ＰＤＵをＲＬＣ処理部２３へ出力する。なお、ヘッダのシーケンス番号は省略してもよい。
【００４６】
ヘッダ除去部３５は、ＲＬＣ処理部２３から出力される上りリンクデータのＲＬＣ  ＳＤＵ（Service Data Unit）をＰＤＣＰ  ＰＤＵとして受信する。ヘッダ除去部３５は、ＰＤＣＰ  ＰＤＵからヘッダを除去する。リアセンブル部３６は、ヘッダが除去されたパケットを結合し暗号化されたパケットを組み立てる。解読部３７は暗号化パケットを解読して平文のパケットへ変換する。伸長部３８は、平文のパケットに含まれる圧縮されたヘッダを元のヘッダに戻す。リオーダリング部３９は、平文のパケットの順序を並べ変えてＰＤＣＵ  ＳＤＵとして第１ＧＷ５へ出力する。
【００４７】
図６は、ＲＬＣ処理部２３の機能構成の第１例の説明図である。ＲＬＣ処理部２３は、ＲＬＣ制御部５０と、分割／連結部５１と、ヘッダ付加部５２と、リオーダリング部５３と、ヘッダ除去部５４と、リアセンブル部５５を備える。
【００４８】
ＲＬＣ制御部５０は、ＲＬＣ処理部２３によるＲＬＣレイヤの処理を制御する。分割／連結部５１は、ＰＤＣＰ処理部２４から出力される下りリンクデータのＰＤＣＰ  ＰＤＵをＲＬＣ  ＳＤＵとして受信する。分割／連結部５１は、受信したＲＬＣ  ＳＤＵを分割又は連結することにより所定長Ｌ１のパケットを生成する。ヘッダ付加部５２は、分割／連結部５１が生成したパケットに制御信号やシーケンス番号を含むヘッダを付加しＲＬＣ  ＰＤＵを生成する。ヘッダ付加部５２は、ＲＬＣ  ＰＤＵをＭＡＣ処理部２２へ出力する。なお、ヘッダのシーケンス番号は省略してもよい。
【００４９】
リオーダリング部５３は、ＭＡＣ処理部２２から出力される上りリンクデータのＭＡＣ  ＳＤＵをＲＬＣ  ＰＤＵとして受信する。リオーダリング部５３は、ＲＬＣ  ＰＤＵの順序を並べ変えてヘッダ除去部５４へ入力する。ヘッダ除去部５４は、ＲＬＣ  ＰＤＵからヘッダを除去する。リアセンブル部５５は、ヘッダが除去されたパケットを結合しＰＤＣＰ  ＰＤＵを組み立てる。リアセンブル部５５は、ＰＤＣＰ  ＰＤＵをＰＤＣＰ処理部２４へ出力する。
【００５０】
図７は、ＭＡＣ処理部２２の機能構成の第１例の説明図である。ＭＡＣ処理部２２は、ＭＡＣ制御部６０と、多重化部６１と、再送制御部６２と、無線回線設定制御部６３と、逆多重化部６４を備える。
【００５１】
ＭＡＣ制御部６０は、ＭＡＣ処理部２２によるＭＡＣレイヤの処理を制御する。多重化部６１は、ＲＬＣ処理部２３から出力される下りリンクデータのＲＬＣ  ＰＤＵをＭＡＣ  ＳＤＵとして受信する。多重化部６１は、異なる論理チャネルで伝送される制御データやユーザデータを多重化する。多重化部６１は、更にデータの分割又は連結することにより所定長Ｌ２のパケットを生成する。
【００５２】
再送制御部６２は、多重化部６１が生成したパケットに制御信号やシーケンス番号を含むヘッダを付加しＭＡＣ  ＰＤＵを生成する。再送制御部６２は、ＭＡＣ  ＰＤＵを一時的に格納する。なお、ヘッダのシーケンス番号は省略してもよい。
【００５３】
無線回線設定制御部６３は、基地局２と移動局３との間の無線回線設定のための制御信号を作成する。ＭＡＣ制御信号はヘッダとしてＭＡＣ  ＰＤＵに付加される場合もある。無線回線設定の一例として、無線回線設定制御部６３はランダムアクセス手順を実行する。以上の処理が施された後にＭＡＣ  ＰＤＵはＭＡＣ処理部２２から送信部２０へ出力される。
【００５４】
再送制御部６２は、上りリンクデータの受信信号の誤り判定結果を受信部２１から受信する。受信信号に誤りがない場合に再送制御部６２は、肯定応答（ACK: ACKnowledge）を送信部２０へ出力する。受信信号に誤りがある場合に再送制御部６２は、否定応答（NACK: Negative ACKnowledge）を送信部２０へ出力する。
【００５５】
逆多重化部６４は、受信部２１にて受信されたパケットであるＭＡＣ  ＰＤＵを論理パケット毎に分解し、各サービスへデータを振り分ける。逆多重化部６４は、論理パケット毎に分解したデータを連結させてＭＡＣ  ＳＤＵを組立てる。逆多重化部６４は、ＭＡＣ  ＳＤＵをＲＬＣ処理部２３へ出力する。
【００５６】
図８は、移動局３の機能構成の第１例の説明図である。移動局３は、受信部７０と、送信部７１と、ＭＡＣ処理部７２と、ＲＬＣ処理部７３と、ＰＤＣＰ処理部７４と、アプリケーション処理部７５を備える。移動局３は、回線制御部７６と、回線制御信号作成部７７を備える。
【００５７】
受信部７０は、基地局２から送信される下りリンク信号をアンテナを介して受信する。受信部７０は、受信された信号を増幅し、増幅後の受信信号をアナログベースバンド信号に変換する。受信部７０は、アナログベースバンド信号をデジタルベースバンド信号に変換する処理と、復調処理及び復号処理を行う。
【００５８】
送信部７１は、基地局２へ送信される上りリンク信号を符号化及び変調し、変調された信号をチャネルにマッピングする。送信部７１は、各チャネルの信号をアナログ信号に変換し、変換されたアナログ信号を無線周波数信号に変換する。送信部７１は、無線周波数信号を増幅し、増幅された信号をアンテナを介して基地局２へ送信する。
【００５９】
ＭＡＣ処理部７２は、基地局２へ送信される上りリンク信号及び基地局２から受信される下りリンク信号のＭＡＣレイヤの処理を行う。ＲＬＣ処理部７３は、基地局２へ送信される上りリンク信号及び基地局２から受信される下りリンク信号のＲＬＣレイヤの処理を行う。
【００６０】
ＰＤＣＰ処理部７４は、基地局２へ送信される上りリンクデータ及び基地局２から受信される下りリンク信号のＰＤＣＰレイヤの処理を行う。アプリケーション処理部７５は、移動局３のアプリケーションプログラムの実行に従って所定の情報処理を行う。
【００６１】
回線制御部７６は、基地局２から送信された回線制御信号を受信する。回線制御部７６は、回線制御信号で指定された無線リソース及びＭＣＳに従って、受信部７０及び送信部７１が受信及び送信するユーザデータの伝送に使用する無線リソース及びＭＣＳを制御する。
【００６２】
回線制御部７６は、基地局２から通知されたサービスクラスを受信する。回線制御部７６は、基地局２から通知されたサービスクラスに従って、移動局３から基地局２への上りリンクのユーザデータの伝送速度及び伝送遅延を制御してもよい。
【００６３】
例えば、回線制御部７６は、サービスクラスにより指定されたサービス品質の要求を満足することと、移動局３が持つ上りリンクのユーザデータ量を通知することで上り送信を要求してもよい。更には、送信に使用する無線リソース及びＭＣＳを基地局２に要求してもよい。例えば、回線制御部７６は、基地局２から通知されたサービスクラスを指定するための情報を回線制御信号作成部７７に出力する。回線制御信号作成部７７は、サービスクラスを指定するための情報を含んだ、上りリンクのユーザデータの送信に使用する無線リソースの要求信号を作成して送信部７１へ出力する。送信部７１は要求信号を基地局２へ送信する。
【００６４】
例えば、基地局２から上りリンクの無線リソースが割り当てられた場合に、回線制御部７６は、サービスクラスにより指定された伝送遅延及び伝送遅延の条件を満足するように、割り当てられたリソースの中からベアラに割り当てるリソースを決定してもよい。
【００６５】
後述の第３実施例と同様に、移動局３にて小パケットの発生が検出されてもよい。小パケットの発生が検出された場合に回線制御部７６は、小パケットを発生させるアプリケーションプログラムの分類、属性又は名称を識別するための情報をポリシ制御装置７へ送信してよい。
【００６６】
図９は、ＭＡＣ処理部７２の機能構成の第１例の説明図である。ＭＡＣ処理部７２は、ＭＡＣ制御部８０と、再送制御部８１と、逆多重化部８２と、多重化部８３と、無線回線設定制御部８４を備える。
【００６７】
ＭＡＣ制御部８０は、ＭＡＣ処理部７２によるＭＡＣレイヤの処理を制御する。逆多重化部８２は、受信部７０にて受信されたパケットであるＭＡＣ  ＰＤＵを論理パケット毎に分解し、各サービスへデータを振り分ける。逆多重化部８２は、論理パケット毎に分解したデータを連結させてＭＡＣ  ＳＤＵを組立てる。逆多重化部８２は、ＭＡＣ  ＳＤＵをＲＬＣ処理部７３へ出力する。
【００６８】
多重化部８３は、ＲＬＣ処理部７３から出力される上りリンクデータのＲＬＣ  ＰＤＵをＭＡＣ  ＳＤＵとして受信する。多重化部８３は、異なる論理チャネルで伝送される制御データやユーザデータを多重化する。多重化部８３は、更にデータの分割又は連結することにより所定長Ｌ３のパケットを生成する。
【００６９】
再送制御部８１は、多重化部８３が生成したパケットに制御情報やシーケンス番号を含むヘッダを追加しＭＡＣ  ＰＤＵを生成する。再送制御部８１は、ＭＡＣ  ＰＤＵを一時的に格納する。再送制御部８１は、下りリンクデータの受信信号の誤り判定結果を受信部７０から受信する。受信信号に誤りがない場合に再送制御部８１は、肯定応答（ACK）を送信部７１へ出力する。受信信号に誤りがある場合に再送制御部８１は、否定応答（NACK）を送信部７１へ出力する。無線回線設定制御部８４は、移動局３と基地局２との間の無線回線の確立のための処理を実行する。なお、ヘッダのシーケンス番号は省略してもよい。
【００７０】
図１０は、ＲＬＣ処理部７３の機能構成の第１例の説明図である。ＲＬＣ処理部７３は、ＲＬＣ制御部９０と、リオーダリング部９１と、ヘッダ除去部９２と、リアセンブル部９３と、分割／連結部９４と、ヘッダ付加部９５を備える。
【００７１】
ＲＬＣ制御部９０は、ＲＬＣ処理部７３によるＲＬＣレイヤの処理を制御する。リオーダリング部９１は、ＭＡＣ処理部７２から出力される下りリンクデータのＭＡＣ  ＳＤＵをＲＬＣ  ＰＤＵとして受信する。リオーダリング部９１は、ＲＬＣ  ＰＤＵの順序を並べ変えてヘッダ除去部９２へ入力する。ヘッダ除去部９２は、ＲＬＣ  ＰＤＵからヘッダを除去する。リアセンブル部９３は、ヘッダが除去されたパケットを結合しＰＤＣＰ  ＰＤＵを組み立てる。リアセンブル部９３は、ＰＤＣＰ  ＰＤＵをＰＤＣＰ処理部７４へ出力する。
【００７２】
分割／連結部９４は、ＰＤＣＰ処理部７４から出力される上りリンクデータのＰＤＣＰ  ＰＤＵをＲＬＣ  ＳＤＵとして受信する。分割／連結部９４は、受信したＲＬＣ  ＳＤＵを分割又は連結することにより所定長Ｌ４のパケットを生成する。ヘッダ付加部９５は、分割／連結部９４が生成したパケットに制御信号やシーケンス番号を含むヘッダを付加しＲＬＣ  ＰＤＵを生成する。ヘッダ付加部９５は、ＲＬＣ  ＰＤＵをＭＡＣ処理部７２へ出力する。なお、ヘッダのシーケンス番号は省略してもよい。
【００７３】
図１１は、ＰＤＣＰ処理部７４の機能構成の第１例の説明図である。ＰＤＣＰ処理部７４は、ＰＤＣＰ制御部１００と、ヘッダ除去部１０１と、リアセンブル部１０２と、解読部１０３と、伸長部１０４と、リオーダリング部１０５を備える。ＰＤＣＰ処理部７４は、圧縮部１０６と、暗号化部１０７と、分割／連結部１０８と、ヘッダ付加部１０９を備える。
【００７４】
ＰＤＣＰ制御部１００は、ＰＤＣＰ処理部７４によるＰＤＣＰレイヤの処理を制御する。ヘッダ除去部１０１は、ＲＬＣ処理部７３から出力される下りリンクデータのＲＬＣ  ＳＤＵをＰＤＣＰ  ＰＤＵとして受信する。ヘッダ除去部１０１は、ＰＤＣＰ  ＰＤＵからヘッダを除去する。リアセンブル部１０２は、ヘッダが除去されたパケットを結合し暗号化されたパケットを組み立てる。解読部１０３は暗号化パケットを解読して平文のパケットへ変換する。伸長部１０４は、平文のパケットに含まれる圧縮されたヘッダを元のヘッダに戻す。リオーダリング部１０５は、平文のパケットの順序を並べ変えてＰＤＣＵ  ＳＤＵとしてアプリケーション処理部７５へ出力する。
【００７５】
圧縮部１０６は、アプリケーション処理部７５から出力される上りリンクデータのパケットのヘッダ部分を圧縮する。暗号化部１０７は、上りリンクデータのパケットを暗号化する。分割／連結部１０８は、パケットを分割又は連結することにより所定長Ｌ５のパケットを生成する。ヘッダ付加部１０９は、分割／連結部１０８が生成したパケットに制御信号やシーケンス番号を含むヘッダを付加しＰＤＣＰ  ＰＤＵを生成する。ヘッダ付加部１０９は、ＰＤＣＰ  ＰＤＵをＲＬＣ処理部７３へ出力する。なお、ヘッダのシーケンス番号は省略してもよい。
【００７６】
図１２は、通信システム１の動作の第１例の説明のためのシーケンス図である。オペレーションＡＡにおいてポリシ制御装置７は、移動局３のベアラに関するサービス情報をセッション制御装置８から受信する。オペレーションＡＡは通信部１４の動作に相当する。
【００７７】
オペレーションＡＢにおいてポリシ制御装置７は、サービス情報に含まれるアプリケーションプログラムの識別情報に基づき、移動局３のアプリケーションプログラムが小パケットを発生させるプログラムであるか否かを判定する。オペレーションＡＢは判定部１５の動作に相当する。
【００７８】
移動局３のアプリケーションプログラムが小パケットを発生させるプログラムである場合に、オペレーションＡＣにおいてポリシ制御装置７は、移動局３のベアラに適用されるサービスクラスとして、小パケット伝送用サービスクラスを指定する。オペレーションＡＣはポリシ指定部１６の動作に相当する。
【００７９】
オペレーションＡＤにおいてポリシ制御装置７は、オペレーションＡＣで指定されたサービスクラスを、第１ＧＷ５及び第２ＧＷ６へ通知する。オペレーションＡＤはポリシ通知部１７の動作に相当する。
【００８０】
オペレーションＡＥにおいて第２ＧＷ６は、移動局３のベアラに適用するサービスクラスをオペレーションＡＤで指定されたサービスクラスに設定する。オペレーションＡＦにおいて第１ＧＷ５は、移動局３のベアラに適用するサービスクラスをオペレーションＡＤで指定されたサービスクラスに設定する。
【００８１】
オペレーションＡＧにおいて基地局２は、ポリシ制御装置７により指定されたサービスクラスを第２ＧＷ６から受信する。移動局３は、サービスクラスを基地局２から受信するオペレーションＡＧは回線制御部２５及び７６及び回線制御信号作成部２６の動作に相当する。オペレーションＡＨにおいて基地局２は、移動局３のベアラに適用するサービスクラスをオペレーションＡＤで指定されたサービスクラスに設定する。オペレーションＡＨは回線制御部２５の動作に相当する。オペレーションＡＩにおいて移動局３は、移動局３のベアラに適用するサービスクラスをオペレーションＡＤで指定されたサービスクラスに設定する。オペレーションＡＩは回線制御部７６の動作に相当する。
【００８２】
オペレーションＡＪにおいて移動局３のベアラを経由して移動局３と第２ＧＷ６との間でデータが伝送される。第１ＧＷ５及び第２ＧＷ６は、オペレーションＡＦ及びＡＥでそれぞれ設定されたサービスクラスに従って移動局３のベアラの伝送速度及び伝送遅延を制御する。基地局２の回線制御部２５は、オペレーションＡＨで設定したサービスクラスに従って、移動局３のベアラの伝送速度及び伝送遅延を制御する。移動局３の回線制御部７６は、オペレーションＡＩで設定したサービスクラスに従って、上りリンクの移動局３のベアラの伝送速度及び伝送遅延を制御する。
【００８３】
本実施例によれば、輻輳の要因となる小パケットを生じるベアラに適用されるサービス品質の要求が他のサービスクラスよりも緩和される。この結果、小パケットを含むベアラの伝送速度や伝送遅延を制御することにより、伝送のための処理時間を制御することが可能となるため、ベアラが設定されるネットワークにおいて小パケットに起因する輻輳が低減する。輻輳の低減により伝送速度が改善し所要伝送速度を満たすことができるようになる。また、ネットワークにおける処理またはネットワークを構成する装置における処理を低減することが可能となる。
【００８４】
＜２．第２実施例＞
図１３は、基地局２の機能構成の第２例の説明図である。図４に示す構成要素と同様の構成要素には図４で使用した参照符号と同じ参照符号を付す。ＭＡＣ処理部２２、ＲＬＣ処理部２３及びＰＤＣＰ処理部２４は、移動局３の下りリンクのベアラで伝送される小パケットを検出する。
【００８５】
なお、ＭＡＣ処理部２２、ＲＬＣ処理部２３及びＰＤＣＰ処理部２４のいずれか１つ又は２つが小パケットを検出してもよく、ＭＡＣ処理部２２、ＲＬＣ処理部２３及びＰＤＣＰ処理部２４の全部が小パケットを検出してもよい。
【００８６】
小パケットの伝送が生じた場合、ＭＡＣ処理部２２、ＲＬＣ処理部２３及びＰＤＣＰ処理部２４は、小パケットが検出されたベアラに適用されるサービスクラスの変更を決定し、サービスクラスの変更を要求するクラス制御信号を回線制御部２５へ出力する。クラス制御情報を受信した回線制御部２５は、小パケットが検出されたベアラに適用するサービスクラスの変更を要求する変更要求信号をポリシ制御装置７へ送信する。変更要求信号は、例えば小パケットが検出されたベアラを識別するための識別情報を含んでいてよい。
【００８７】
ポリシ制御装置７は、変更要求信号に応答して、小パケットが検出されたベアラに適用するサービスクラスの変更を指示する変更通知信号を、第１ＧＷ５及び第２ＧＷ６に送信する。変更通知信号は、変更後のサービスクラスを識別するための識別情報と、変更後のサービスクラスが適用されるベアラを識別するための識別情報を含んでいてよい。
【００８８】
変更後のサービスクラスのサービス品質要求は、小パケットが検出される前に適用されていたサービスクラスのサービス品質要求よりも緩和されていてよい。例えば、変更後のサービスクラスの所要伝送速度、許容伝送遅延、伝送品質及び許容誤り率のいずれかに関する要求が、小パケットが検出される前に適用されていたサービスクラスの要求よりも緩和されていてよい。変更後のサービスクラスは、例えば図３を参照して説明した小パケット伝送用サービスクラスであってよい。
【００８９】
第２ＧＷ６は、変更通知信号を基地局２へ送信する。回線制御部２５は、変更通知信号を受信すると、小パケットの伝送が検出された移動局３のベアラに適用するサービスクラスを、変更通知信号で指定されるサービスクラスに変更する。すなわち、回線制御部２５は、変更通知信号で指定されるサービスクラスに従って、移動局３と基地局２との間のユーザデータの伝送速度及び伝送遅延を制御する。回線制御信号作成部２６は、変更通知信号を送信部２０へ出力する。送信部２０は変更通知信号を移動局３へ送信する。移動局３の回線制御部７６も、同様に小パケットの伝送が検出されたベアラに適用するサービスクラスを、変更通知信号で指定されるサービスクラスに変更する。
【００９０】
図１４は、基地局装置のＰＤＣＰ処理部２４の機能構成の第２例の説明図である。図５に示す構成要素と同様の構成要素には図５で使用した参照符号と同じ参照符号を付す。ＰＤＣＰ処理部２４は、小パケット検出部４０と、閾値記憶部４１と、変更判定部４２を備える。
【００９１】
小パケット検出部４０は、分割／連結部３３において分割又は連結される前のパケットのパケット長を検出する。小パケット検出部４０は、検出されたパケット長に基づいて、ベアラ毎に、ベアラで伝送されるパケットが小パケットであるか否かを判定する。
【００９２】
例えば、小パケット検出部４０は、ベアラで伝送されるパケットのパケット長の各々と閾値記憶部４１に格納された閾値Ｌｔｈ０とを比較する。小パケット検出部４０は、パケット長がＬｔｈ０より短いパケットが１つでも検出した場合に、小パケットが検出されたと判定してよい。閾値Ｌｔｈ０は、例えば分割／連結部３３による分割処理が行われないパケットのパケット長の上限であってよい。例えば、閾値Ｌｔｈ０は、分割／連結部３３により生成されるパケットのパケット長Ｌ０であってよい。
【００９３】
図１５は、小パケットの検出動作の第１例の説明図である。オペレーションＢＡにおいて小パケット検出部４０は、パケット長の判定回数をカウントするための変数ｎの値を「０」に初期化する。オペレーションＢＢにおいて小パケット検出部４０は、変数ｎの値が上限Ｎ以上であるか否かを判定する。変数ｎの値が上限Ｎ以上である場合（オペレーションＢＢ：Ｙ）に動作は終了する。変数ｎの値が上限Ｎ以上でない場合（オペレーションＢＢ：Ｎ）に動作はオペレーションＢＣへ進む。
【００９４】
オペレーションＢＣにおいて小パケット検出部４０は、検出されたパケット長Ｌｐｎが閾値Ｌｔｈ０以上であるか否かを判断する。パケット長Ｌｐｎが閾値Ｌｔｈ０以上である場合（オペレーションＢＣ：Ｙ）に動作はオペレーションＢＤへ進む。パケット長Ｌｐｎが閾値Ｌｔｈ０以上でない場合（オペレーションＢＣ：Ｎ）に動作はオペレーションＢＥへ進む。
【００９５】
オペレーションＢＤにおいて小パケット検出部４０は、変数ｎの値を１増加させる。その後に動作はオペレーションＢＢへ戻る。オペレーションＢＥにおいて小パケット検出部４０は、小パケットが検出されたと判定する。その後に動作は終了する。
【００９６】
例えば、小パケット検出部４０は、Ｌｔｈ０より短いパケット長を持つパケットの発生頻度を検出し、この発生頻度に応じて小パケットが検出されたと判定してもよい。例えば、小パケット検出部４０は、所定個数のパケットの中に含まれるＬｔｈ０より短いパケットの個数が閾値以上の場合に、小パケットが検出されたと判定してもよい。小パケット検出部４０は、所定個数のパケットに占めるＬｔｈ０より短いパケットの占める割合が閾値以上の場合に、小パケットが検出されたと判定してもよい。
【００９７】
図１６は、小パケットの検出動作の第２例の説明図である。オペレーションＣＡにおいて小パケット検出部４０は、パケット長の判定回数をカウントするための変数ｎの値と、Ｌｔｈ０より短いパケット長を持つパケットの検出回数をカウントするための変数ｋの値を「０」に初期化する。
【００９８】
オペレーションＣＢにおいて小パケット検出部４０は、変数ｎの値が上限Ｎ以上であるか否かを判定する。変数ｎの値が上限Ｎ以上である場合（オペレーションＣＢ：Ｙ）に動作は終了する。変数ｎの値が上限Ｎ以上でない場合（オペレーションＣＢ：Ｎ）に動作はオペレーションＣＣへ進む。
【００９９】
オペレーションＣＣにおいて小パケット検出部４０は、検出されたパケット長Ｌｐｎが閾値Ｌｔｈ０以上であるか否かを判断する。パケット長Ｌｐｎが閾値Ｌｔｈ０以上である場合（オペレーションＣＣ：Ｙ）に動作はオペレーションＣＥへ進む。パケット長Ｌｐｎが閾値Ｌｔｈ０以上でない場合（オペレーションＣＣ：Ｎ）に動作はオペレーションＣＤへ進む。オペレーションＣＤにおいて小パケット検出部４０は、変数ｋの値を１増加させる。その後に動作はオペレーションＣＥへ進む。
【０１００】
オペレーションＣＥにおいて小パケット検出部４０は、変数ｋの値が閾値ｋｔｈより大きいか否かを判定する。変数ｋの値が閾値ｋｔｈより大きい場合（オペレーションＣＥ：Ｙ）に動作はオペレーションＣＧへ進む。変数ｋの値が閾値ｋｔｈより大きくない場合（オペレーションＣＥ：Ｎ）に動作はオペレーションＣＦへ進む。
【０１０１】
オペレーションＣＦにおいて小パケット検出部４０は、変数ｎの値を１増加させる。その後に動作はオペレーションＣＢへ戻る。オペレーションＣＧにおいて小パケット検出部４０は、小パケットが検出されたと判定する。その後に動作は終了する。
【０１０２】
また例えば、小パケット検出部４０は、一定期間内に検出したパケットの中に含まれるＬｔｈ０より短いパケットの個数が閾値以上の場合に、小パケットが検出されたと判定してもよい。小パケット検出部４０は、一定期間内に検出したパケットに占めるＬｔｈ０より短いパケットの占める割合が閾値以上の場合に、小パケットが検出されたと判定してもよい。
【０１０３】
小パケットの伝送が生じた場合に、小パケット検出部４０は、小パケットが生じたことを変更判定部４２に通知する。小パケットが生じた場合に変更判定部４２は、小パケットが検出されたベアラに適用されるサービスクラスを変更することを決定する。変更判定部４２は、サービスクラスの変更を要求するクラス制御信号を回線制御部２５へ出力する。
【０１０４】
図１７は、ＲＬＣ処理部２３の機能構成の第２例の説明図である。図６に示す構成要素と同様の構成要素には図６で使用した参照符号と同じ参照符号を付す。ＲＬＣ処理部２３は、小パケット検出部５６と、閾値記憶部５７と、変更判定部５８を備える。
【０１０５】
小パケット検出部５６は、分割／連結部５１において分割又は連結される前のパケットのパケット長を検出する。小パケット検出部５６は、検出されたパケット長に基づいて、ベアラ毎に、ベアラで伝送されるパケットが小パケットであるか否かを判定する。
【０１０６】
例えば、小パケット検出部５６は、ベアラで伝送されるパケットのパケット長の各々と閾値記憶部５７に格納された閾値Ｌｔｈ１とを比較する。小パケット検出部５６は、パケット長がＬｔｈ１より短いパケットが１つでも検出した場合に、小パケットが検出されたと判定してよい。例えば小パケット検出部５６は、Ｌｔｈ１より短いパケット長を持つパケットの発生頻度を検出し、この発生頻度に応じて小パケットが検出されたと判定してもよい。閾値Ｌｔｈ１は、例えば分割／連結部５１による分割処理が行われないパケットのパケット長の上限であってよい。例えば、閾値Ｌｔｈ１はパケット長Ｌ１であってよい。
【０１０７】
小パケットの伝送が生じた場合に、小パケット検出部５６は、小パケットが生じたことを変更判定部５８に通知する。小パケットが生じた場合に変更判定部５８は、小パケットが検出されたベアラに適用されるサービスクラスを変更することを決定する。変更判定部５８は、サービスクラスの変更を要求するクラス制御信号を回線制御部２５へ出力する。
【０１０８】
図１８は、ＭＡＣ処理部２２の機能構成の第２例の説明図である。図７に示す構成要素と同様の構成要素には図７で使用した参照符号と同じ参照符号を付す。ＭＡＣ処理部２２は、小パケット検出部６５と、閾値記憶部６６と、変更判定部６７を備える。
【０１０９】
小パケット検出部６５は多重化部６１において多重化される前のパケットのパケット長を検出する。小パケット検出部６５は、検出されたパケット長に基づいて、ベアラ毎に、ベアラで伝送されるパケットが小パケットであるか否かを判定する。
【０１１０】
例えば小パケット検出部６５は、ベアラで伝送されるパケットのパケット長の各々と閾値記憶部６６に格納された閾値Ｌｔｈ２とを比較する。小パケット検出部６５は、パケット長がＬｔｈ２より短いパケットが１つでも検出した場合に、ベアラで小パケットが検出されたと判定してよい。例えば小パケット検出部６５は、Ｌｔｈ２より短いパケット長を持つパケットの発生頻度を検出し、この発生頻度に応じて小パケットが検出されたと判定してもよい。閾値Ｌｔｈ２は、例えば多重化部６１による分割処理が行われないパケットのパケット長の上限であってよい。例えば、閾値Ｌｔｈ２はパケット長Ｌ２であってよい。
【０１１１】
小パケットの伝送が生じた場合に、小パケット検出部６５は、小パケットが生じたことを変更判定部６７に通知する。小パケットが生じた場合に変更判定部６７は、小パケットが検出されたベアラに適用されるサービスクラスを変更することを決定する。変更判定部６７は、サービスクラスの変更を要求するクラス制御信号を回線制御部２５へ出力する。
【０１１２】
なお、ＭＡＣ処理部２２が小パケットの検出を行わない場合には、小パケット検出部６５と、閾値記憶部６６と、変更判定部６７を省略してもよい。ＲＬＣ処理部２３が小パケットの検出を行わない場合には、小パケット検出部５６と、閾値記憶部５７と、変更判定部５８を省略してもよい。ＰＤＣＰ処理部２４が小パケットの検出を行わない場合には、小パケット検出部４０と、閾値記憶部４１と、変更判定部４２を省略してもよい。出されたパケット長と比較される閾値Ｌｔｈ０、Ｌｔｈ１及びＬｔｈ２として、上記所定値Ｌ０〜Ｌ２のうち最も短い値を使用してもよく、所定値Ｌ０〜Ｌ２と無関係な値を使用してもよい。
【０１１３】
図１９は、ポリシ制御装置７の機能構成の第２例の説明図である。図２に示す構成要素と同様の構成要素には図２で使用した参照符号と同じ参照符号を付す。ポリシ制御装置７は、変更要求受信部１９を備える。
【０１１４】
変更要求受信部１９は、基地局２から送信された変更要求信号を受信する。変更要求受信部１９は、小パケットが検出されたベアラを識別するための識別情報を変更要求信号から取得し、ポリシ指定部１６に出力する。
【０１１５】
ポリシ指定部１６は、小パケットが検出されたベアラに現在適用されているサービスクラスのサービス品質要求よりも緩和されたサービス品質要求のサービスクラスを、変更後のサービスクラスとして指定する。例えば、変更後のサービスクラスの所要伝送速度、許容伝送遅延、伝送品質及び許容誤り率のいずれかに関する要求が、現在適用されているサービスクラスの要求よりも緩和されていてよい。変更後のサービスクラスは、例えば図３を参照して説明した小パケット伝送用サービスクラスであってよい。
【０１１６】
ポリシ指定部１６は、変更後のサービスクラスをポリシ通知部１７に通知する。ポリシ通知部１７は、変更後のサービスクラスを指定する変更通知信号を第１ＧＷ５及び第２ＧＷ６に送信する。
【０１１７】
図２０は、通信システム１の動作の第２例の説明のためのシーケンス図である。オペレーションＤＡにおいて移動局３と第２ＧＷ６との間でデータが伝送される。オペレーションＤＢにおいて基地局２は、移動局３と第２ＧＷ６との間のベアラで伝送される小パケットを検出する。オペレーションＤＢは小パケット検出部４０、５６及び６５の動作に相当する。
【０１１８】
小パケットの伝送が生じた場合、オペレーションＤＣにおいて基地局２は小パケットが検出された移動局３のベアラに適用されるサービスクラスを変更することを決定する。オペレーションＤＣは変更判定部４２、５８及び６７の動作に相当する。オペレーションＤＤにおいて基地局２は、変更要求信号をポリシ制御装置７へ送信する。オペレーションＤＤは回線制御部２５の動作に相当する。
【０１１９】
オペレーションＤＥにおいてポリシ制御装置７は、小パケットが検出された移動局３のベアラに適用される変更後のサービスクラスを指定する。オペレーションＤＥはポリシ指定部１６の動作に相当する。オペレーションＤＦにおいてポリシ制御装置７は、変更通知信号を第１ＧＷ５及び第２ＧＷ６に送信する。オペレーションＤＦはポリシ通知部１７の動作に相当する。
【０１２０】
オペレーションＤＧにおいて第２ＧＷ６は、小パケットが検出された移動局３のベアラに適用するサービスクラスを現在のクラスから変更通知信号で指定されたクラスへ変更する。オペレーションＤＨにおいて第１ＧＷ５は、小パケットが検出された移動局３のベアラに適用するサービスクラスを現在のクラスから変更通知信号で指定されたクラスに設定する。オペレーションＤＩにおいて基地局２は、第２ＧＷ６から変更通知信号を受信する。移動局３は、基地局２から変更通知信号を受信する。オペレーションＤＩは回線制御部２５及び７６及び回線制御信号作成部２６の動作に相当する。
【０１２１】
オペレーションＤＪにおいて基地局２は、小パケットが検出された移動局３のベアラに適用するサービスクラスを現在のクラスから変更通知信号で指定されたクラスに設定する。オペレーションＤＪは回線制御部２５の動作に相当する。オペレーションＤＫにおいて移動局３は、小パケットが検出されたベアラに適用するサービスクラスを現在のクラスから変更通知信号で指定されたクラスに設定する。オペレーションＤＪは回線制御部７６の動作に相当する。
【０１２２】
オペレーションＤＬにおいて移動局３のベアラを経由して移動局３と第２ＧＷ６との間でデータが伝送される。第１ＧＷ５及び第２ＧＷ６は、変更後のサービスクラスに従って小パケットが検出された移動局３のベアラの伝送速度及び伝送遅延を制御する。基地局２は、変更後のサービスクラスに従って、小パケットが検出された移動局３のベアラの伝送速度及び伝送遅延を制御する。移動局３の回線制御部７６は、変更後のサービスクラスに従って、小パケットが検出された上りリンクのベアラの伝送速度及び伝送遅延を制御する。
【０１２３】
上記実施例では、ＭＡＣ処理部２２、ＲＬＣ処理部２３及びＰＤＣＰ処理部２４は、下りリンクのベアラにおける小パケットの伝送を検出した。これに代えて又はこれに加えて、ＭＡＣ処理部２２、ＲＬＣ処理部２３及びＰＤＣＰ処理部２４が上りリンクのベアラで小パケットを検出するように基地局２を変形してもよい。以下の他の実施例及び変形例においても同様である。
【０１２４】
上りリンクと下りリンクのデータ伝送とが対をなす場合がある。例えば、移動局３で動作する同一のアプリケーションによる上りリンクと下りリンクのデータ伝送が対をなすことがある。ポリシ指定部１６は、対をなす上りリンクと下りリンクのデータ伝送の一方に使用するベアラに適用するサービスクラスを変更する場合、他方のデータ伝送に使用するベアラに適用するサービスクラスを変更してもよい。ポリシ指定部１６は、対をなすベアラのクラスが互いに同じクラスになるように対をなすクラスを変更してもよく、互いに異なるクラスになるように変更してもよい。
【０１２５】
ポリシ指定部１６は、ベアラを使用するアプリケーションプログラムを識別するための情報を移動局３または基地局２から受信し、その情報とベアラに設定されているサービスクラスに基づいて、対をなす上りリンクと下りリンクのベアラを識別してよい。
【０１２６】
サービスクラスを変更する代わりに、小パケットが検出された移動局３のベアラに適用されるサービス品質要求を変更するように第２実施例を修正してもよい。例えば、サービスクラスを変更する代わりに、サービスクラスの属性を変更するように第２実施例を変更してもよい。
【０１２７】
属性とは、各サービスクラスのサービス品質要求を定める要求の個々の要素である。属性は、例えば所要伝送速度、許容伝送遅延、優先度、伝送品質及び許容誤り率であってよい。変更判定部４２、５８及び６７は、パケットが検出されたベアラに適用されるサービスクラスの属性を変更することを決定する。回線制御部２５は、小パケットが検出されたベアラに適用するサービスクラスの属性の変更を要求する変更要求信号をポリシ制御装置７へ送信する。
【０１２８】
ポリシ指定部１６は、小パケットが検出されたベアラに現在適用されているサービスクラスの属性よりも緩和された属性を、変更後の属性として指定する。変更後の属性は、小パケットが検出される前に適用されていた属性よりも緩和されていてよい。ポリシ通知部１７は、変更後の属性を指定する識別情報変更通知を送信してよい。第１ＧＷ５、第２ＧＷ６、基地局２及び移動局３は、変更後の属性に従って小パケットが検出された移動局３のベアラの伝送速度及び伝送遅延を制御してよい。
【０１２９】
同様に、後述の第３実施例及び第４実施例も、サービスクラスを変更する代わりに、小パケットが検出された移動局３のベアラに適用されるサービス品質要求を変更するように修正してもよい。
【０１３０】
本実施例によれば、輻輳の要因となる小パケットが検出されるベアラに適用されるサービス品質の要求が緩和される。この結果、小パケットを含むベアラの伝送速度や伝送遅延を制御することにより、伝送のための処理時間を制御することが可能となるため、ベアラが設定されるネットワークにおいて小パケットに起因する輻輳が低減する。輻輳の低減により伝送速度が改善し所要伝送速度を満たすことができるようになる。また、ネットワークにおける処理またはネットワークを構成する装置における処理を低減することが可能となる。
【０１３１】
＜３．第３実施例＞
図２１は、移動局３の機能構成の第２例の説明図である。図８に示す構成要素と同様の構成要素には図８で使用した参照符号と同じ参照符号を付す。ＭＡＣ処理部７２、ＲＬＣ処理部７３及びＰＤＣＰ処理部７４は、移動局３の上りリンクのベアラで伝送される小パケットを検出する。
【０１３２】
ＭＡＣ処理部７２、ＲＬＣ処理部７３及びＰＤＣＰ処理部７４のいずれか１つ又は２つが小パケットを検出してもよく、ＭＡＣ処理部７２、ＲＬＣ処理部７３及びＰＤＣＰ処理部７４の全部が小パケットを検出してもよい。ＭＡＣ処理部７２、ＲＬＣ処理部７３及びＰＤＣＰ処理部７４は小パケットが生じたことを回線制御部７６に通知する。
【０１３３】
ＭＡＣ処理部７２、ＲＬＣ処理部７３及びＰＤＣＰ処理部７４が小パケットの発生を回線制御部７６に通知した場合、回線制御部７６は、回線制御信号作成部７７に対して、小パケットの検出を通知する検出通知信号の作成を要求する。回線制御信号作成部７７は、検出通知信号を作成し送信部７１へ出力する。送信部７１は検出通知信号を基地局２へ送信する。
【０１３４】
基地局２の回線制御部２５は検出通知信号を受信する。検出通知信号を受信した場合に回線制御部２５は、小パケットが検出されたベアラに適用されるサービスクラスを変更することを決定する。回線制御部２５は、小パケットが検出されたベアラに適用するサービスクラスの変更を要求する変更要求信号をポリシ制御装置７へ送信する。以降の動作は第２実施例と同様である。
【０１３５】
図２２は、ＭＡＣ処理部７２の機能構成の第２例の説明図である。図９に示す構成要素と同様の構成要素には図９で使用した参照符号と同じ参照符号を付す。ＭＡＣ処理部７２は、小パケット検出部８５と、閾値記憶部８６を備える。
【０１３６】
小パケット検出部８５は、多重化部８３において多重化される前のパケットのパケット長を検出する。小パケット検出部８５は、検出されたパケット長に基づいて、ベアラ毎に、ベアラで伝送されるパケットが小パケットであるか否かを判定する。
【０１３７】
例えば小パケット検出部８５は、ベアラで伝送されるパケットのパケット長の各々と閾値記憶部８６に格納された閾値Ｌｔｈ３とを比較する。小パケット検出部８５は、パケット長がＬｔｈ３より短いパケットが１つでも検出した場合に、ベアラで小パケットが検出されたと判定してよい。例えば小パケット検出部８５は、Ｌｔｈ３より短いパケット長を持つパケットの発生頻度を検出し、この発生頻度に応じて小パケットが検出されたと判定してもよい。
【０１３８】
閾値Ｌｔｈ３は、例えば多重化部８３による分割処理が行われないパケットのパケット長の上限であってよい。例えば、閾値Ｌｔｈ３はパケット長Ｌ３であってよい。小パケットの伝送が生じた場合に、小パケット検出部８５は、小パケットが生じたことを回線制御部７６に通知する。
【０１３９】
図２３は、ＲＬＣ処理部７３の機能構成の第２例の説明図である。図１０に示す構成要素と同様の構成要素には図１０で使用した参照符号と同じ参照符号を付す。ＲＬＣ処理部７３は、小パケット検出部９６と、閾値記憶部９７を備える。
【０１４０】
小パケット検出部９６は、分割／連結部９４において分割又は連結される前のパケットのパケット長を検出する。小パケット検出部９６は、検出されたパケット長に基づいて、ベアラ毎に、ベアラで伝送されるパケットが小パケットであるか否かを判定する。
【０１４１】
例えば、小パケット検出部９６は、ベアラで伝送されるパケットのパケット長の各々と閾値記憶部９７に格納された閾値Ｌｔｈ４とを比較する。小パケット検出部９６は、パケット長がＬｔｈ４より短いパケットが１つでも検出した場合に、ベアラで小パケットが検出されたと判定してよい。例えば小パケット検出部９６は、Ｌｔｈ４より短いパケット長を持つパケットの発生頻度を検出し、この発生頻度に応じて小パケットが検出されたと判定してもよい。
【０１４２】
閾値Ｌｔｈ４は、例えば分割／連結部９４による分割処理が行われないパケットのパケット長の上限であってよい。例えば、閾値Ｌｔｈ４はパケット長Ｌ４であってよい。小パケットの伝送が生じた場合に、小パケット検出部９６は、小パケットが生じたことを回線制御部７６に通知する。
【０１４３】
図２４は、ＰＤＣＰ処理部７４の機能構成の第２例の説明図である。図１１に示す構成要素と同様の構成要素には図１１で使用した参照符号と同じ参照符号を付す。ＰＤＣＰ処理部７４は、小パケット検出部１１０と、閾値記憶部１１１を備える。
【０１４４】
小パケット検出部１１０は、分割／連結部１０８において分割又は連結される前のパケットのパケット長を検出する。小パケット検出部１１０は、検出されたパケット長に基づいて、ベアラ毎に、ベアラで伝送されるパケットが小パケットであるか否かを判定する。
【０１４５】
例えば、小パケット検出部１１０は、ベアラで伝送されるパケットのパケット長の各々と閾値記憶部１１１に格納された閾値Ｌｔｈ５とを比較する。小パケット検出部１１０は、パケット長がＬｔｈ５より短いパケットが１つでも検出した場合に、ベアラで小パケットが検出されたと判定してよい。例えば小パケット検出部１１０は、Ｌｔｈ５より短いパケット長を持つパケットの発生頻度を検出し、この発生頻度に応じて小パケットが検出されたと判定してもよい。
【０１４６】
閾値Ｌｔｈ５は、例えば分割／連結部１０８による分割処理が行われないパケットのパケット長の上限であってよい。例えば、閾値Ｌｔｈ５はパケット長Ｌ５であってよい。小パケットの伝送が生じた場合に、小パケット検出部１１０は、小パケットが生じたことを回線制御部７６に通知する。
【０１４７】
ＭＡＣ処理部７２が小パケットの検出を行わない場合には、小パケット検出部８５と、閾値記憶部８６を省略してもよい。ＲＬＣ処理部７３が小パケットの検出を行わない場合には、小パケット検出部９６と、閾値記憶部９７を省略してもよい。ＰＤＣＰ処理部７４が小パケットの検出を行わない場合には、小パケット検出部１１０と、閾値記憶部１１１を省略してもよい。検出されたパケット長と比較される閾値Ｌｔｈ３、Ｌｔｈ４及びＬｔｈ５として、上記所定値Ｌ３〜Ｌ５のうち最も短い値を使用してもよく、所定値Ｌ３〜Ｌ５と無関係な値を使用してもよい。
【０１４８】
図２５は、通信システム１の動作の第３例の説明のためのシーケンス図である。オペレーションＥＡにおいて移動局３と第２ＧＷ６との間でデータが伝送される。オペレーションＥＢにおいて移動局３は、移動局３と第２ＧＷ６との間のベアラで伝送される小パケットを検出する。オペレーションＥＢは小パケット検出部８５、９６及び１１０の動作に相当する。
【０１４９】
オペレーションＥＣにおいて移動局３は、検出通知信号を基地局２へ送信する。オペレーションＥＣは回線制御信号作成部７７及び送信部７１の動作に相当する。オペレーションＥＤにおいて基地局２は、小パケットが検出された移動局３のベアラに適用されるサービスクラスを変更することを決定する。オペレーションＤＣは回線制御部２５の動作に相当する。オペレーションＥＥ〜ＥＭは、図２０のオペレーションＤＤ〜ＤＬの動作と同様である。
【０１５０】
本実施例によれば、輻輳の要因となる小パケットが検出されるベアラに適用されるサービス品質の要求が緩和される。この結果、小パケットを含むベアラの伝送速度や伝送遅延を制御することにより、伝送のための処理時間を制御することが可能となるため、ベアラが設定されるネットワークにおいて小パケットに起因する輻輳が低減する。輻輳の低減により伝送速度が改善し所要伝送速度を満たすことができるようになる。また、ネットワークにおける処理またはネットワークを構成する装置における処理を低減することが可能となる。
【０１５１】
本実施例によれば、移動局３のベアラで発生する小パケットの検出処理が、各移動局３に分散される。このため、小パケットを検出するために基地局２の負荷が増加することが回避できる。
【０１５２】
上記実施例では、ＭＡＣ処理部７２、ＲＬＣ処理部７３及びＰＤＣＰ処理部７４は、上りリンクのベアラにおける小パケットの伝送を検出した。これに代えて又はこれに加えて、ＭＡＣ処理部７２、ＲＬＣ処理部７３及びＰＤＣＰ処理部７４が下りリンクのベアラで小パケットを検出するように基地局２を変形してもよい。以下の他の実施例及び変形例においても同様である。
【０１５３】
＜４．第４実施例＞
図２６は、ＭＡＣ処理部７２の機能構成の第３例の説明図である。図２２に示す構成要素と同様の構成要素には図２２で使用した参照符号と同じ参照符号を付す。ＭＡＣ処理部７２は、変更判定部８７を備える。パケットの伝送が生じた場合に、小パケット検出部８５は、小パケットが生じたことを変更判定部８７に通知する。小パケットが生じた場合に変更判定部８７は、小パケットが検出されたベアラに適用されるサービスクラスを変更することを決定する。変更判定部８７は、サービスクラスの変更を要求するクラス制御信号を回線制御部７６へ出力する。
【０１５４】
図２７は、ＲＬＣ処理部７３の機能構成の第３例の説明図である。図２３に示す構成要素と同様の構成要素には図２３で使用した参照符号と同じ参照符号を付す。ＲＬＣ処理部７３は、変更判定部９８を備える。小パケットの伝送が生じた場合に、小パケット検出部９６は、小パケットが生じたことを変更判定部９８に通知する。小パケットが生じた場合に変更判定部９８は、小パケットが検出されたベアラに適用されるサービスクラスを変更することを決定する。変更判定部９８は、サービスクラスの変更を要求するクラス制御信号を回線制御部７６へ出力する。
【０１５５】
図２８は、ＰＤＣＰ処理部７４の機能構成の第３例の説明図である。図２４に示す構成要素と同様の構成要素には図２４で使用した参照符号と同じ参照符号を付す。ＰＤＣＰ処理部７４は、変更判定部１１２を備える。小パケットの伝送が生じた場合に、小パケット検出部１１０は、小パケットが生じたことを変更判定部１１２に通知する。小パケットが生じた場合に変更判定部１１２は、小パケットが検出されたベアラに適用されるサービスクラスを変更することを決定する。変更判定部１１２は、サービスクラスの変更を要求するクラス制御信号を回線制御部７６へ出力する。
【０１５６】
ＭＡＣ処理部７２、ＲＬＣ処理部７３及びＰＤＣＰ処理部７４のいずれか１つ又は２つが小パケットを検出してもよく、ＭＡＣ処理部７２、ＲＬＣ処理部７３及びＰＤＣＰ処理部７４の全部が小パケットを検出してもよい。ＭＡＣ処理部７２が小パケットの検出を行わない場合には、小パケット検出部８５と、閾値記憶部８６と、変更判定部８７を省略してもよい。ＲＬＣ処理部７３が小パケットの検出を行わない場合には、小パケット検出部９６と、閾値記憶部９７と、変更判定部９８を省略してもよい。ＰＤＣＰ処理部７４が小パケットの検出を行わない場合には、小パケット検出部１１０と、閾値記憶部１１１と、変更判定部１１２を省略してもよい。
【０１５７】
図２１を参照する。クラス制御信号を受信した回線制御部７６は、回線制御信号作成部７７に対して、小パケットが検出されたベアラに適用するサービスクラスの変更を要求する変更要求信号の作成を要求する。回線制御信号作成部７７は、変更要求信号を作成し送信部７１へ出力する。送信部７１は変更要求信号を基地局２へ送信する。
【０１５８】
基地局２の回線制御部２５は変更要求信号を受信する。回線制御部２５は、変更要求信号をポリシ制御装置７へ送信する。以降の動作は第２実施例と同様である。
【０１５９】
図２９は、通信システム１の動作の第４例の説明のためのシーケンス図である。オペレーションＦＡにおいて移動局３と第２ＧＷ６との間でデータが伝送される。オペレーションＦＢにおいて移動局３は、移動局３と第２ＧＷ６との間のベアラで伝送される小パケットを検出する。オペレーションＦＢは小パケット検出部８５、９６及び１１０の動作に相当する。
【０１６０】
小パケットの伝送が生じた場合、オペレーションＦＣにおいて移動局３は小パケットが検出された移動局３のベアラに適用されるサービスクラスを変更することを決定する。オペレーションＦＣは、変更判定部８７、９８及び１１２の動作に相当する。オペレーションＦＤにおいて移動局３は、変更要求信号を基地局２へ送信する。オペレーションＦＤは、回線制御信号作成部７７及び送信部７１の動作に相当する。
【０１６１】
オペレーションＦＥにおいて基地局は、変更要求信号をポリシ制御装置７へ送信する。オペレーションＦＥは回線制御部２５の動作に相当する。オペレーションＦＦ〜ＦＭの動作は、図２０のオペレーションＤＥ〜ＤＬの動作と同様である。
【０１６２】
本実施例によれば、輻輳の要因となる小パケットが検出されるベアラに適用されるサービス品質の要求が緩和される。この結果、小パケットを含むベアラの伝送速度や伝送遅延を制御することにより、伝送のための処理時間を制御することが可能となるため、ベアラが設定されるネットワークにおいて小パケットに起因する輻輳が低減する。輻輳の低減により伝送速度が改善し所要伝送速度を満たすことができるようになる。また、ネットワークにおける処理またはネットワークを構成する装置における処理を低減することが可能となる。
【０１６３】
本実施例によれば、移動局３のベアラで発生する小パケットの検出処理が、各移動局３に分散される。このため、小パケットを検出するために基地局２の負荷が増加することが回避できる。
【０１６４】
以上の説明において、図２、図４〜図１１、図１３、図１４、図１７〜図１９、図２１〜図２４、及び図２６〜図２８の機能構成図は、本明細書において説明される機能に関係する構成を中心に示している。基地局２、移動局３及びポリシ制御装置７は、図示の構成要素以外の他の構成要素を含んでいてよい。図１２、図１５、図１６、図２０、図２５及び図２９を参照して説明する一連の動作は複数の手順を含む方法と解釈してもよい。この場合に「オペレーション」を「ステップ」と読み替えてもよい。
【０１６５】
＜５．ハードウエア構成＞
図３０は、基地局２の一例のハードウエア構成図である。基地局装置２は、ＣＰＵ（Central Processing Unit）等であるプロセッサ２００と、記憶装置２０１と、ＬＳＩ（Large Scale Integration）２０２と、無線処理回路２０３と、ネットワークインタフェース回路２０４を備える。以下の説明及び添付図面においてネットワークインタフェースを「ＮＩＦ」と表記する事がある。
【０１６６】
記憶装置２０１は、コンピュータプログラムやデータを記憶するための、不揮発性メモリや、読み出し専用メモリ（ROM: Read Only Memory）やランダムアクセスメモリ（RAM: Random Access Memory）、ハードディスクドライブ装置等を含んでいてよい。プロセッサ２００は、記憶装置２０１に格納されたコンピュータプログラムに従い、下記のＬＳＩ２０２が行う処理以外のユーザ管理処理や基地局２の動作制御を行う。
【０１６７】
ＬＳＩ２０２は、移動局３との間で送受信される信号の符号化及び変調、並びに復調及び復号化、通信プロトコル処理、スケジューリングに関するベースバンド信号の処理を実施する。ＬＳＩ２０２は、ＦＰＧＡ（Field-Programming Gate Array）、ＡＳＩＣ（Application Specific Integrated Circuit）やＤＳＰ(Digital Signal Processing)等を含んでいてよい。
【０１６８】
無線処理回路２０３は、デジタル・アナログ変換回路や、アナログ・デジタル変換回路や、周波数変換回路、増幅回路、フィルタ回路などを含んでいてよい。ＮＩＦ回路２０４は、物理層およびデータリンク層を使用して有線ネットワークを経由して第１ＧＷ５、第２ＧＷ６やポリシ制御装置７等の上位装置と通信するための電子的な回路を備える。
【０１６９】
基地局２の送信部２０及び受信部２１の上記動作は、例えばＬＳＩ２０２及び無線処理回路２０３の協働により実現される。基地局２のＭＡＣ処理部２２と、ＲＬＣ処理部２３と、ＰＤＣＰ処理部２４の上記動作は、例えばＬＳＩ２０２により実現される。基地局２の回線制御部２５と、回線制御信号作成部２６の上記動作は、例えばプロセッサ２００によって実現される。
【０１７０】
図３１は、移動局３の一例のハードウェア構成図である。移動局３は、プロセッサ２１０と、記憶装置２１１と、ＬＳＩ２１２と、無線処理回路２１３を備える。記憶装置２１１は、コンピュータプログラムやデータを記憶するための、不揮発性メモリや、読み出し専用メモリやランダムアクセスメモリ等を含んでいてよい。
【０１７１】
プロセッサ２１０は、記憶装置２１１に格納されたコンピュータプログラムに従い、下記のＬＳＩ２１２が行う処理以外の移動局３の動作制御と、ユーザデータを処理するアプリケーションプログラムを実行する。
【０１７２】
ＬＳＩ２１２は、基地局２との間で送受信される信号の符号化及び変調、並びに復調及び復号化、通信プロトコル処理、スケジューリングに関するベースバンド信号の処理を実施する。ＬＳＩ２１２は、ＦＰＧＡ、ＡＳＩＣやＤＳＰ等を含んでいてよい。
【０１７３】
受信部７０と、送信部７１の上記動作は、ＬＳＩ２１２と無線処理回路２１３との協働によって実現される。ＭＡＣ処理部７２と、ＲＬＣ処理部７３と、ＰＤＣＰ処理部７４の上記動作は、例えばＬＳＩ２１２により実現される。アプリケーション処理部７５と、回線制御部７６と、回線制御信号作成部７７の上記動作は、例えばプロセッサ２１０によって実現される。
【０１７４】
図３２は、ポリシ制御装置７の一例のハードウェア構成図である。ポリシ制御装置７は、プロセッサ２２０と、記憶装置２２１と、ＮＩＦ回路２２４を備える。記憶装置２２１は、コンピュータプログラムやデータを記憶するための、不揮発性メモリや、読み出し専用メモリやランダムアクセスメモリ、ハードディスクドライブ装置等を含んでいてよい。
【０１７５】
プロセッサ２２０は、記憶装置２２１に格納されたコンピュータプログラムに従い、第２ＧＷ６と移動局３との間のベアラのデータ転送に対するポリシ制御処理を行う。ＮＩＦ回路２２４は、物理層およびデータリンク層を使用して有線ネットワークを経由して第１ＧＷ５、第２ＧＷ６や基地局２等と通信するための電子的な回路を備える。
【０１７６】
ポリシ制御装置７の通信部１４及び変更要求受信部１９の上記動作はＮＩＦ回路２２４により実現される。判定部１５及びポリシ指定部１６の上記処理は、プロセッサ２２０によって実現される。ポリシ通知部１７の上記処理はプロセッサ２２０とＮＩＦ回路２２４との協働によって実現される。
【０１７７】
なお、図３０〜及び図３２に示すハードウエア構成は実施例の説明のための例示にすぎない。上述の動作を実行するものであれば、本明細書に記載される基地局、移動局及びポリシ制御装置は他のどのようなハードウエア構成を採用してもよい。
【０１７８】
ここに記載されている全ての例及び条件的な用語は、読者が、本発明と技術の進展のために発明者により与えられる概念とを理解する際の助けとなるように、教育的な目的を意図したものであり、具体的に記載されている上記の例及び条件、並びに本発明の優位性及び劣等性を示すことに関する本明細書における例の構成に限定されることなく解釈されるべきものである。本発明の実施例は詳細に説明されているが、本発明の精神及び範囲から外れることなく、様々な変更、置換及び修正をこれに加えることが可能であると解すべきである。
【符号の説明】
【０１７９】
１    通信システム
２    基地局装置
３    移動局装置
４    第１ネットワーク
５    第１ＧＷ
６    第２ＧＷ
７    ポリシ制御装置
８    セッション制御装置
９    第２ネットワーク
【図１】
2014207930.tif 000003
【図２】
2014207930.tif 000004
【図３】
2014207930.tif 000005
【図４】
2014207930.tif 000006
【図５】
2014207930.tif 000007
【図６】
2014207930.tif 000008
【図７】
2014207930.tif 000009
【図８】
2014207930.tif 000010
【図９】
2014207930.tif 000011
【図１０】
2014207930.tif 000012
【図１１】
2014207930.tif 000013
【図１２】
2014207930.tif 000014
【図１３】
2014207930.tif 000015
【図１４】
2014207930.tif 000016
【図１５】
2014207930.tif 000017
【図１６】
2014207930.tif 000018
【図１７】
2014207930.tif 000019
【図１８】
2014207930.tif 000020
【図１９】
2014207930.tif 000021
【図２０】
2014207930.tif 000022
【図２１】
2014207930.tif 000023
【図２２】
2014207930.tif 000024
【図２３】
2014207930.tif 000025
【図２４】
2014207930.tif 000026
【図２５】
2014207930.tif 000027
【図２６】
2014207930.tif 000028
【図２７】
2014207930.tif 000029
【図２８】
2014207930.tif 000030
【図２９】
2014207930.tif 000031
【図３０】
2014207930.tif 000032
【図３１】
2014207930.tif 000033
【図３２】
2014207930.tif 000034
【国際調査報告】
2014207930.tif 000035
2014207930.tif 000036
2014207930.tif 000037
2014207930.tif 000038